(57)【要約】【課題】映像の撮影及び音声の録音から配信映像を短時間に生成して配信可能とする安価な映像配信システムを提供する。【解決手段】映像入力装置から出力される映像をリアルタイムに受信する制御装置には、（Ｂ−１）リアルタイムに受信した前記映像を所定の形式にて保存する機能と、（Ｂ−２）前記所定の形式にて保存された前記映像のうちのあるシーンの指定を受け付ける機能と、（Ｂ−３）指定された前記あるシーンに対するコメントの入力を受け付ける機能と、（Ｂ−４）保存された前記映像、指定された前記あるシーン、及び、入力された前記コメントを、ＷＥＢサイトの特定の部分に関連づける機能と、（Ｂ−５）前記ＷＥＢサイトにおいて、ユーザによって前記あるシーンが特定された際に、保存された前記映像の少なくとも一部分を配信する機能と、が設けられている。【選択図】図１
2007201751.tif 000002
【特許請求の範囲】
【請求項１】
（Ａ）映像入力装置と、
（Ｂ）前記映像入力装置から出力される映像をリアルタイムに受信する制御装置と、
を有し、
前記制御装置には、
（Ｂ−１）リアルタイムに受信した前記映像を所定の形式にて保存する機能と、
（Ｂ−２）前記所定の形式にて保存された前記映像のうちのあるシーンの指定を受け付ける機能と、
（Ｂ−３）指定された前記あるシーンに対するコメントの入力を受け付ける機能と、
（Ｂ−４）保存された前記映像、指定された前記あるシーン、及び、入力された前記コメントを、ＷＥＢサイトの特定の部分に関連づける機能と、
（Ｂ−５）前記ＷＥＢサイトにおいて、ユーザによって前記あるシーンが特定された際に、保存された前記映像の少なくとも一部分を配信する機能と、
が設けられていることを特徴とする映像配信システム。
【請求項２】
請求項１に記載の映像配信システムにおいて、
前記制御装置は、携帯して持ち運び可能なコンピュータであることを特徴とする映像配信システム。
【発明の詳細な説明】
【技術分野】
【０００１】
本発明は、映像を配信する映像配信システムに関する。
【背景技術】
【０００２】
従来から、映像を配信するシステムとしては、例えばテレビ局から映像を配信するシステムが知られている。テレビ局には、複数のテレビ局用カメラや複数のマイクロフォンが備えられ多数のスタッフの手により配信する映像を撮影したり音声を録音する会場となるスタジオ、会場全体の様子を伺いながら各スタッフに指示したり、撮影した映像や録音した音声等の入力状態を確認しつつ調整して保存するオペレータ室、保存された画像や音声等の情報を編集して配信するための配信映像を生成する編集室、配信映像を配信するための映像配信室、等が設けられている。そして、スタジオ、オペレータ室、編集室、映像配信室等は各々独立した部屋として設けられており、各部屋に振り分けられたスタッフの手によって、スタジオにて入力された映像及び音声から生成された配信映像が配信される。
【発明の開示】
【発明が解決しようとする課題】
【０００３】
しかしながら、従来のテレビ局のようなシステムは、撮影のためのテレビ局用カメラや、編集用ミキサーなど大がかりな機材が必要であるため、撮影、保存、編集、配信といった各々の作業を行うために広いスペースが必要である。そして、生成される配信映像は、映像の撮影と音声の録音が行われるスタジオ、映像と音声との入力状態を調整しつつ保存するオペレータ室、保存された映像と音声とを合成する編集室等区画された部屋毎に担当スタッフにより生成される。このため、区画された部屋間では直接コミュニケーションが取りづらいため、各担当者間での調整が即座にできず映像と音声などとを短時間で合成していくことは難しかった。また、大勢のスタッフ、大がかりな機材を用いて映像を生成及び配信するため、莫大な費用が必要であるという課題があった。
【０００４】
本発明は、かかる課題に鑑みてなされたものであり、その目的とするところは、映像の撮影及び音声の録音から配信映像を短時間に生成して配信可能とする安価な映像配信システムを提供することにある。
【課題を解決するための手段】
【０００５】
（Ａ）映像入力装置と、（Ｂ）前記映像入力装置から出力される映像をリアルタイムに受信する制御装置と、を有し、前記制御装置には、（Ｂ−１）リアルタイムに受信した前記映像を所定の形式にて保存する機能と、（Ｂ−２）前記所定の形式にて保存された前記映像のうちのあるシーンの指定を受け付ける機能と、（Ｂ−３）指定された前記あるシーンに対するコメントの入力を受け付ける機能と、（Ｂ−４）保存された前記映像、指定された前記あるシーン、及び、入力された前記コメントを、ＷＥＢサイトの特定の部分に関連づける機能と、（Ｂ−５）前記ＷＥＢサイトにおいて、ユーザによって前記あるシーンが特定された際に、保存された前記映像の少なくとも一部分を配信する機能と、が設けられていることを特徴とする映像配信システムである。
【０００６】
すなわち、まず映像入力装置から出力される映像がリアルタイムで制御装置に受信され、受信された映像が所定の形式にて保存され、保存された映像のうちのあるシーンの指定を受け付け、指定されたあるシーンに対するコメントの入力も受け付ける。そして、あるシーンが指定され、指定されたあるシーンに対するコメントが入力されると、保存された映像、指定されたあるシーン、及び、入力されたコメントが、ＷＥＢサイトの特定の部分に関連づける。その後、ＷＥＢサイトにおいて、ユーザによってあるシーンが特定された際に、保存された映像の少なくとも一部分が配信される。
【０００７】
このため、映像入力装置から出力される映像をリアルタイムに受信する制御装置にて、配信する映像、ユーザに映像を特定させるためのあるシーン、配信する映像に対応するコメントをＷＥＢサイトの特定の部分に関連づけて保存することが可能である。すなわち、映像が入力されてから配信するための映像等の情報を１つの制御装置の処理にて実行することが可能である。このため、撮影から配信する情報をＷＥＢサイトの特定の部分に関連づけて保存する作業を一カ所にて行うことができ、大がかりな機材を必要としないため広いスペースを必要としないとともに、設備への投資を抑えることが可能である。また、制御装置を用いて一カ所にて作業ができるため、映像入力装置の操作担当者と制御装置の操作担当者との間ではコミュニケーションが取りやすく、撮影と並行して配信情報を生成する作業を進めることが可能である。
【０００８】
また、制御装置には、ＷＥＢサイトにおいて、ユーザによってあるシーンが特定された際に、保存された映像の少なくとも一部分を配信する機能が備えられているので、保存された映像、指定されたあるシーン、及び、入力されたコメントを、ＷＥＢサイトの特定の部分に関連づけて保存するだけで、ＷＥＢサイトにアクセスしたユーザに、映像を配信することが可能である。
【０００９】
すなわち、上記映像配信システムによれば、映像の撮影及び音声の録音から配信するための映像を、狭いスペースに配置された安価な機材にて短時間で生成し配信することが可能である。
【００１０】
かかる映像配信システムにおいて、前記制御装置は、携帯して持ち運び可能なコンピュータであることが望ましい。  
このような映像配信システムによれば、制御装置が持ち運び可能なので、配信映像を作成する場所が限定されず、いずれの場所であっても配信映像を生成することが可能である。また、映像と音声の入力装置を接続することにより、屋外や配信したい映像が撮影できる現場にて直接配信映像を生成することが可能である。
【発明の効果】
【００１１】
本発明の映像配信システムによれば、映像の撮影及び音声の録音から配信映像を短時間に生成して配信可能とする安価な映像配信システムを実現可能である。
【発明を実施するための最良の形態】
【００１２】
以下、本発明の一実施形態に係る映像配信システムについて図面を参照して説明する。
【００１３】
本映像配信システムは、例えば、インタビュー等を収録した映像を、ＷＥＢサイトを介してアクセスしてきた、当該ＷＥＢに接続されているコンピュータ等に配信するシステムである。
【００１４】
＜映像配信システムの概要＞
本実施形態の映像配信システムは、例えば、１２畳程度の広さを有する一室内に構築される。映像配信システムが構築されている室内には、仕切りなど室内を明確に区画するものは設けられていないが、配信映像を生成する作業工程毎に、各工程にて用いる機材が配置される領域が分けられている。
【００１５】
＜映像配信システムの構成例＞
図１は、本映像配信システムの一構成例を示す図である。図１では映像配信システムを構成する機材等とともに、室内における各機材の配置及び作業領域を示している。以下の説明では、インタビューを受けるゲストとインタビュアとのインタビューの様子を収録した映像を配信するための映像配信システムを例に挙げて説明する。
【００１６】
図示するように、映像配信システム１は、映像配信室２内に設置される。映像配信室２内には、映像、音声を収録するための撮影会場となるスタジオ領域Ｓ、撮影会場の装置から出力される映像、音声の信号や予め用意された映像、音声等を合成して元映像データとして記憶する合成領域Ｃ、合成した元映像データを、ＷＥＢサイトを介して配信可能なファイルに編集する編集領域Ｅ、合成領域にて生成された元映像データをほぼリアルタイムで視聴するための視聴領域Ｖ、とが設けられている。
【００１７】
スタジオ領域Ｓには、１台のテーブル１０と、ゲスト及びインタビュアが座るための２脚の椅子１１が配置され、ゲスト及びインタビュアに向けられた２台の映像入力装置としてのビデオカメラ１２及び２本のマイクロフォン１３が設置されている。テーブル上にはマイクロフォン１３からの音声信号の出力／遮断を切り換えるためのカフ１４がマイクロフォン１３毎に設けられている。また、インタビューの内容により資料を用いた説明が必要な場合に備え、テーブル１０上には、ゲスト及びインタビュアが操作可能なスタジオ用コンピュータ１５が配置されている。またゲスト及びインタビュアが撮影された映像を確認することが可能なスタジオ用モニター１６も設けられている。
【００１８】
合成領域Ｃには、収録した映像、音声以外の映像や画像、及び、音声を出力するための入力装置として、入力用コンピュータ２０、ＤＶＤプレイヤー２１、入力用ビデオデッキ２２、ＣＤプレイヤー２３などと、映像に文字情報を入力するための入力装置としてテロッパー２４、これら入力装置の映像と収録した映像を切り換えるためのスイッチング装置２５、入力装置の音声と収録した音声とを合成するためのミキサー２６と、合成した元映像を保存するための合成用ビデオデッキ（ここではｍｉｎｉＤＶデッキ）２７が備えられている。また、合成領域Ｃには、合成処理を行う合成担当者が映像を確認するための合成用モニター２８も設けられている。
【００１９】
編集領域Ｅには、公衆回線網に接続された制御装置としてのコンピュータ３０が設置されており、このコンピュータ３０にＷＥＢサイトの画面に表示する情報及びＷＥＢサイトを介して配信するコンテンツデータ等が保存されている。
【００２０】
このコンピュータ３０には、元映像を配信可能な所定の形式にエンコードして元映像データとして保存する機能を実現するためのエンコードプログラム、元映像データをＷＥＢサイトに設定された形態に編集する機能を実現するための編集プログラム等が記憶されている。このコンピュータ３０が、所謂サーバコンピュータである。サーバコンピュータ３０については後で詳述する。また、エンコーダプログラム及び編集プログラムは、以下に説明される各種の処理を行うためのコードから構成されている。
【００２１】
視聴領域Ｖには、インタビューを受けるゲストの付き添いの者や収録の見学者が座るための椅子４０と視聴用モニター４１とが設けられている。
【００２２】
スタジオ領域Ｓに設置された２台のビデオカメラ１２及びスタジオ用コンピュータ１５は、合成領域Ｃに設置されたスイッチング装置２５と接続されている。このため２台のビデオカメラ１２からの映像信号及びスタジオ用コンピュータ１５からのデータ信号は、スイッチング装置２５に入力される。また、スタジオ領域Ｓに設置された２本のマイクロフォン１３はカフ１４を介して合成領域Ｃに設置されたスイッチング装置２５と接続されている。すなわち、マイクロフォン１３からの音声信号はスイッチング装置２５に入力されるが、ゲスト及びインタビュアがカフ１４を操作することにより、音声信号を出力したり遮断したりすることが可能である。
【００２３】
スイッチング装置２５には、合成領域Ｃに設置された入力用コンピュータ２０、ＤＶＤプレイヤー２１、入力用ビデオデッキ２２、ＣＤプレイヤー２３、テロッパー２４も、スタジオ領域Ｓのビデオカメラ１２、マイクロフォン１３、スタジオ用コンピュータ１５と並列的に接続されており、入力される映像信号、音声信号、及びデータ信号はいずれもスイッチング装置２５が有する各チャンネルに割り付けられて入力される。
【００２４】
そして、入力された映像信号及びデータ信号は、合成担当者がスイッチング装置２５を操作することにより択一的に切り換えられ１つの映像信号として合成用ビデオデッキ２７に入力される。
【００２５】
一方、スイッチング装置２５に入力された音声信号は、ミキサー２６の各チャンネルに割り付けられて入力される。ミキサー２６に入力された音声信号は、合成担当者がミキサー２６を操作することにより、ゲスト及びインタビュアの声やＢＧＭの音の大きさ等が調整されたり、フェイドイン・フェイドアウトなど滑らかに合成されて１つの音声信号として合成用ビデオデッキ２７に入力される。そして、合成用ビデオデッキ２７では、同じタイミングにて入力された映像信号と音声信号とが合成されて元映像が生成され、バックアップデータとして合成用ビデオデッキ２７にて記憶される。
【００２６】
また、合成用ビデオデッキ２７からは、スタジオ領域Ｓ、合成領域Ｃ、視聴領域Ｖの各領域に設置されたモニター１６，２８，４１に元映像が出力される。そして、合成領域Ｃにて合成された元映像はほぼリアルタイムで各モニター１６，２８，４１に映し出される。このため、スタジオ領域Ｓのゲスト及びインタビュア、合成領域Ｃの合成担当者、視聴領域Ｖの見学者等が、合成領域Ｃにて合成された元映像を同時に確認することが可能である。
【００２７】
さらに、合成領域Ｃの合成用ビデオデッキ２７からは、編集領域Ｅのサーバコンピュータ３０に出力され、元映像は前述したモニター１６，２８，４１同様にサーバコンピュータ３０のモニターにも出力される。
【００２８】
＜サーバコンピュータの処理＞
サーバコンピュータ３０では、合成用ビデオデッキ２７から出力されたほぼリアルタイムの元映像が、エンコードプログラムによりエンコードされて１つのコンテンツに対応した元映像データとして記憶される。
【００２９】
このとき、エンコードプログラムは、予め設定された条件にて元映像を複数の分割映像データ（以下、クリップという）に分割し、分割により生成された複数のクリップのクリップデータを一括して１つの元映像データとして記憶する。元映像を分割する条件としては、例えば所定時間毎（例えば１０分毎）に分割、ビデオカメラ１２が切り替わるタイミングにて分割、ＤＶＤプレイヤー２１や入力用コンピュータ２０からの映像が取り込まれたタイミングにて分割、等が挙げられる。また、エンコードされた映像を編集担当者が見ながら適宜指定したタイミングにて分割することも可能である。ここでは、１０分毎に分割された複数のクリップデータを一括して１つの元映像データとして記憶する例について説明する。
【００３０】
エンコードプログラムが実行されているサーバコンピュータ３０に元映像が入力されると、元映像にて映し出される最初のシーンが、これから生成される元映像データと関連づけられコンテンツ代表画像として記憶され、元映像は順次エンコードされて記憶されていく。このとき、コンテンツ代表画像は、最初のクリップデータにも関連付けられて最初のクリップのクリップ代表画像としても記憶される。その後、１０分経過する毎に元映像を分割するための境界位置を記憶すると共に、境界位置の直後に映し出されるあるシーンの静止画像を、各シーンの後から１０分間に入力される元映像から生成されるクリップデータと関連付けてクリップ代表画像として記憶する。  
編集担当者は、サーバコンピュータ３０に記憶された元映像データに基づいて、ＷＥＢサイトを介して配信可能なコンテンツデータを生成する。
【００３１】
編集担当者が、編集プログラムを起動するとメイン画面が表示される。図２は、編集プログラムのメイン画面を示す図である。
【００３２】
メイン画面５０には、編集担当者が保存されている複数の元映像データのうちのいずれかを指定して取り込まれた元映像データに関連づけられたコンテンツ代表画像と元映像データの情報を示すコンテンツ情報表示部５１、元映像データが有するクリップのリストが表示されるリスト表示部５２と、取り込まれた元映像が表示される映像表示部５３と、映像表示部５３の映像をコントロールするための映像コントロールボタン５４と、再生される元映像の全体の長さと映像表示部５３に表示されているシーンの位置とを示すスライドバー５５と、編集操作のための「新規」ボタン５６ａ、「編集」ボタン５６ｂ、「削除」ボタン５６ｃ、「再生開始位置」ボタン５６ｄ、「再生終了位置」ボタン５６ｅ、「境界追加」ボタン５６ｆ、「境界変更」ボタン５６ｇ、「代表画像の設定」ボタン５６ｈ等の操作ボタン５６と、各クリップ代表画像をサムネイルとして一覧表示させるための「サムネイル一覧」ボタン５７と、「ファイル」文字ボタン５８ａ、「編集」文字ボタン、「再生」文字ボタン、「出力」文字ボタン５８ｂ、「設定」文字ボタン、「ヘルプ」文字ボタン等に階層化されているプルダウンメニューから所定の処理を実行させるための文字ボタン５８と、が設定されている。
【００３３】
編集担当者は、メイン画面５０に設定された「ファイル」文字ボタン５８ａのプルダウンメニューから「開く」をクリックし、表示されたサブ画面のファイルリストから編集を希望する元映像データを選択するか、サブ画面に設定されているファイル名入力ボックスに編集を希望する元映像データのファイル名を入力して編集情報を読み込む。このとき、ファイルリストには、サーバコンピュータ３０に保存されている元映像データのファイル名及び既に編集済みのコンテンツデータのファイル名が表示される。ここでは、上述したエンコードプログラムにより取り込まれた未編集の元映像データが指定された例について主に説明する。
【００３４】
サブ画面からファイルが指定されると、サブ画面が閉じられて、メイン画面５０の映像表示部５３に、指定された元映像データに関連づけられたコンテンツ代表画像が表示され、リスト表示部５２には、指定された元映像データが有する各クリップに関連づけられたクリップ代表画像と時間情報が表示される。ここでは、未編集の元映像データが指定されているので、コンテンツタイトル及び各クリップのタイトルは表示されない。
【００３５】
また、メイン画面５０のスライドバー５５は、時間軸を示しており、スライドバー５５におけるスライドボタン５５ａの全範囲が、指定された元映像データを再生するために必要な時間を示し、スライドボタン５５ａは映像表示部５３に表示されている映像の位置を示している。また、元映像を保存する際に分割した位置（１０分毎）、すなわち隣接するクリップの境界の位置を、スライドバー５５上にて示す矢印（以下、ポインタという）がスライドバー５５に沿って適宜位置に表示されている。
【００３６】
メイン画面５０からは、編集担当者が、サーバコンピュータ３０に設けられたマウス等の信号入力装置からリスト表示部５２のクリップ代表画像を指定することにより、映像表示部５３にクリップ代表画像が表示され、映像コントロールボタン５４により、指定したクリップの映像を再生・停止・早送り早戻し等の操作をしつつ映像を確認することが可能となる。
【００３７】
図３は、サムネイル一覧画面の一例を示す図である。編集担当者が「サムネイル一覧」ボタン５７を操作することにより、元映像を保存した際に１０分毎に作成したクリップに関連づけられたクリップ代表画像６１を一覧表示するサムネイル一覧画面６０（図３）を表示させることが可能である。編集担当者が、サムネイル一覧画面６０に表示されたいずれかのクリップ代表画像６１を指定して「ＯＫ」ボタン６２を操作することにより関連づけられたクリップを、その先頭から再生させることが可能である。すなわち、サムネイル一覧画面６０は、サーバコンピュータ３０において、保存された映像のうちあるシーンの指定を受け付ける機能を実現するための入力画面である。
【００３８】
編集担当者は、再生された映像を確認しつつ、配信可能なコンテンツデータを生成すべく編集する。  
編集担当者は、まず配信する映像の再生開始位置を設定する。元映像データの映像は、本来配信したいインタビュー映像部分のほかに、その前後数秒または数分の映像が含まれるように収録されている。このため、編集担当者は、インタビュー映像部分の最初のシーンを特定し、「再生開始位置」ボタン５６ｄを操作する。この操作により、特定した最初のシーンより前の映像データはコンテンツデータから削除される。
【００３９】
その後、映像を見ながら、たとえば内容に応じて分割したい位置にポインタ５５ｂを再設定する。このとき、メイン画面５０に表示されている複数のポインタ５５ｂのなかから境界として設定したいポインタ５５ｂを指定すると共にサムネイル一覧画面から所定のクリップ代表画像を指定したり、映像コントロールボタン５４により、早送り、早戻しボタンを適宜操作して、分割を希望する位置にポインタ５５ｂを表示させた後、「境界変更」ボタン５６ｇを操作することにより境界位置を再設定する。
【００４０】
また、予めポインタ５５ｂが設定されていない位置に境界を設けたい場合には、境界を希望するシーンにて映像を停止させた後に「境界追加」ボタン５６ｆを操作することにより、停止しているシーンの位置に新たなポインタ５５ｂを設定することが可能である。
【００４１】
このように、ポインタ５５ｂを設定することにより、各クリップのスタート位置及びエンド位置を決定し各クリップの範囲を確定する。これらの操作により、各クリップを再生する際に必要となる時間が確定されて、クリップに関連づけられ時間情報として記憶される。そして、リスト表示部５２の時間欄に時間情報が表示される。
【００４２】
編集担当者は、各クリップの境界を確定した後に、配信したい映像の最後のシーンを特定し「再生終了位置」ボタン５６ｅを操作する。この操作により、特定した最後のシーンより後の映像は配信映像データから削除される。この処理により、コンテンツデータの再生時間が確定されてコンテンツの時間情報として記憶されコンテンツ情報表示部５１の時間欄に時間情報が表示される。
【００４３】
また、ポインタ５５ｂを設定する際に、各クリップ代表画像、及び、コンテンツ代表画像として設定したいシーンを見つけた際には、再生を一時停止すると共に、リスト表示部５２のコンテンツデータ及び設定したいクリップを選択した後に、「代表画像の設定」ボタン５６ｈを操作する。この操作により、コンテンツデータ及び各クリップデータと代表画像とが関連づけられて記憶される。
【００４４】
また、編集担当者が指定した元映像データが読み込まれ、メイン画面５０にコンテンツ代表画像及び各クリップ代表画像が表示された後のいずれかのタイミングにおいて、コンテンツ代表画像又はクリップ代表画像を指定し、「編集」ボタン５６ｂを操作すると、文字情報設定サブ画面が表示される。
【００４５】
図４は、文字情報設定サブ画面の一例を示す図である。図示するように、文字情報設定サブ画面７０には、指定されたコンテンツデータ及びクリップデータに関連づけられた代表画像表示部７１と、スタート時間表示部７２、タイトル及び概要等のコメントを入力するための入力ボックス７３が割り付けられている。そして、編集担当者が、入力ボックス７３にコメントを入力し「ＯＫ」ボタン７４を操作することにより、コンテンツデータ及びクリップデータに関連づけられてタイトル及びコメントが記憶され、メイン画面５０のリスト表示部５２にはコンテンツのタイトルや、各クリップのタイトルが表示される。すなわち、文字情報設定サブ画面７０は、サーバコンピュータ３０において、指定されたシーンに対するコメントの入力を受け付ける機能を実現するための入力画面である。
【００４６】
以上の編集処理を実行した後に、編集担当者は、メイン画面５０に設定された「ファイル」文字ボタン５８ａのプルダウンメニューから「名前を付けて保存」をクリックし、表示されたサブ画面に設定されているファイル名入力ボックスにコンテンツを示すファイル名を入力してコンテンツデータを保存する。保存されたコンテンツデータには、コンテンツタイトル、コンテンツ代表画像、コンテンツに関連づけられたコメント及び時間情報、コンテンツに含まれるクリップ映像、各クリップに対応付けられたタイトル、クリップ代表画像、クリップに関連づけられたコメント及び時間情報、等が含まれ、ファイル名に対応付けられている。
【００４７】
その後、編集担当者は、メイン画面５０に設定された「出力」文字ボタン５８ｂのプルダウンメニューから「ＷＥＢ出力」をクリックし、表示されたサブ画面からコンテンツデータのリンク先を指定して「ＯＫ」ボタンを操作することにより、ＷＥＢ上で公開されているＷＥＢサイトの特定の部分としてのコンテンツ情報画面８５（図６）にリンクされる。すなわち、サーバコンピュータ３０は、コンテンツデータをＷＥＢサイト上のコンテンツ情報画面８５（図６）に関連づける機能を有している。
【００４８】
図５は、ＷＥＢ出力サイト上にて公開される画面を示す図である。図６は、ＷＥＢサイト上の画面からコンテンツが指定された後に表示されるコンテンツ情報画面を示す図である。
【００４９】
インターネット等の公衆回線を介して、本実施形態のＷＥＢサイト、具体的にはサーバコンピュータ３０にアクセスしたユーザのコンピュータには、図５に示すようなホームページ８０が表示される。このホームページ８０には、配信可能な複数のコンテンツのコンテンツ代表画像表示部８１と、タイトル及び概要を示すコメント表示部８２と、コンテンツの情報を表示させるためにコンテンツ毎に設けられた「実行」ボタン８３と、が割り付けられている。ユーザがこのホームページ８０から所望のコンテンツに対応付けられた「実行」ボタン８３をクリックすることにより、ユーザのコンピュータには図６に示すコンテンツ情報画面８５が表示される。このコンテンツ情報画面８５には、指定されたコンテンツのコンテンツ代表画像表示部８１と、タイトル及び概要を示すコメント表示部８２と、コンテンツを最初から通して再生するための「実行」ボタン８４と、コンテンツに含まれる各クリップのクリップ代表画像表示部８６と、タイトル及び概要を示すコメント表示部８７と、クリップの配信を実行させるためにクリップ毎に設けられた「実行」ボタン８８と、が割り付けられている。ユーザは、所望のクリップに対応付けられた「実行」ボタン８８をクリックすることにより、指定したクリップのみを視聴することが可能である。すなわち、サーバコンピュータ３０は、ユーザによって、あるクリップ代表画像が特定された際に、特定されたクリップ代表画像に関連づけられたて保存されているクリップを、コンテンツの一部として配信する機能を有している。
【００５０】
本実施形態の映像配信システム１によれば、まずビデオカメラ１２から出力される映像がほぼリアルタイムでサーバコンピュータ３０に受信され、受信された映像が所定の形式にて保存され、保存された映像のうちのあるシーンを示したコンテンツ代表画像又はクリップ代表画像の指定を受け付けると、指定されたコンテンツ代表画像又はクリップ代表画像に対するコメントの入力を受け付ける。そして、コンテンツ代表画像又はクリップ代表画像が指定され、指定されたコンテンツ代表画像又はクリップ代表画像に対するコメントが入力されると、保存された映像、指定されたコンテンツ代表画像又はクリップ代表画像、及び、入力されたコメントが、ＷＥＢサイトのホームページ上におけるコンテンツ情報画面８５に関連づけられる。その後、ＷＥＢサイトにて、ユーザによってコンテンツまたはクリップが特定された際には、保存されたコンテンツデータの映像の少なくとも一部分（クリップ）が配信される。
【００５１】
このため、ビデオカメラ１２から出力される映像をほぼリアルタイムに受信するサーバコンピュータ３０にて、配信するコンテンツデータ、ユーザにコンテンツ又はクリップを特定させるための代表画像、配信するコンテンツデータに対応するコメントをＷＥＢサイトのコンテンツ情報画面８５に関連づけて保存することが可能である。すなわち、元映像が入力されてから配信するためのコンテンツデータを、サーバコンピュータ３０の処理にて実行することが可能である。このため、撮影から、コンテンツデータをＷＥＢサイトのコンテンツ情報画面８５に関連づけて保存するまでの作業を映像配信室２内にて行うことができ、大がかりな機材を必要としないために広いスペースを必要としないとともに、設備への投資を抑えることが可能である。
【００５２】
また、サーバコンピュータ３０を用いて映像配信室２にて作業ができるため、インタビュア、合成担当者、編集担当者は同一室内にて直接対面して作業することが可能である。このため、撮影と並行してお互いにタイミングを調整しつつコンテンツデータを生成していくことが可能である。よって、ほぼリアルタイムにて完成度の高いコンテンツデータを生成することが可能である。
【００５３】
また、サーバコンピュータ３０には、ＷＥＢサイトにおいて、ユーザによってコンテンツ又はクリップが特定された際に、保存されたコンテンツデータの少なくとも一部分（例えばあるクリップ）を配信する機能が備えられているので、コンテンツ及び各クリップに関連づけられた代表画像、コメントをＷＥＢサイトのコンテンツ情報画面８５に関連づけて保存するだけで、ＷＥＢサイトにアクセスしたユーザに、映像を配信することが可能である。
【００５４】
上記映像配信システム１によれば、映像の撮影及び音声の録音から配信するためのコンテンツデータを、狭いスペースに配置された安価な機材にて短時間で生成し配信することが可能である。
【００５５】
上記実施形態においては、映像配信システムを、映像を撮影するビデオカメラ１２と音声を取得するマイクロフォン１３とから入力された映像及び音声の信号をスイッチング装置２５、ミキサー２６、合成用ビデオデッキ２７を経由して、エンコードプログラム及び編集プログラムがインストールされたサーバコンピュータ３０にて編集して生成・保存する方法を示したが、映像と音声とを同時に取得可能な例えばホームビデオカメラと携帯して持ち運び可能なコンピュータとで構成しても良い。この場合には、コンテンツデータファイルを生成する場所が限定されず、いずれの場所であってもコンテンツデータファイルを生成することが可能である。また、ホームビデオカメラ及び持ち運び可能なコンピュータはいずれも形態可能なので、屋外の映像や配信したい映像が撮影できる現場にて直接コンテンツデータファイルを生成することが可能である。
【図面の簡単な説明】
【００５６】
【図１】本映像配信システムの一構成例を示す図である。
【図２】編集プログラムのメイン画面を示す図である。
【図３】サムネイル一覧画面の一例を示す図である。
【図４】文字情報設定サブ画面の一例を示す図である。
【図５】ＷＥＢ出力サイト上にて公開される画面を示す図である。
【図６】ＷＥＢサイト上の画面からコンテンツが指定された後に表示されるコンテンツ情報画面を示す図である。
【符号の説明】
【００５７】
１  映像配信システム、２  映像配信室、１０  テーブル、１１  椅子、
１２  ビデオカメラ、１３  マイクロフォン、１４  カフ、
１５  スタジオ用コンピュータ、１６  スタジオ用モニター、
２０  入力用コンピュータ、２１  ＤＶＤプレイヤー、２２  入力用ビデオデッキ、
２３  ＣＤプレイヤー、２４  テロッパー、２５  スイッチング装置、
２６  ミキサー、２７  合成用ビデオデッキ、２８  合成用モニター、
３０  サーバコンピュータ、４０  椅子、４１  視聴用モニター、
５０  メイン画面、５１  コンテンツ情報表示部、５２  リスト表示部、
５３  映像表示部、５４  映像コントロールボタン、５５  スライドバー、
５５ａ  スライドボタン、５５ｂ  ポインタ、５６  操作ボタン、
５６ａ  「新規」ボタン、５６ｂ  「編集」ボタン、５６ｃ  「削除」ボタン、
５６ｄ  「再生開始位置」ボタン、５６ｅ  「再生終了位置」ボタン、
５６ｆ  「境界追加」ボタン、５６ｇ  「境界変更」ボタン、
５６ｈ  「代表画像の設定」ボタン、５７  サムネイル一覧ボタン、
５８  文字ボタン、５８ａ  「ファイル」文字ボタン、５８ｂ  「出力」文字ボタン、
６０  サムネイル一覧画面、６１  クリップ代表画像、６２  ＯＫボタン、
７０  文字情報設定サブ画面、７１  代表画像表示部、７２  スタート時間表示部、
７３  入力ボックス、７４  ＯＫボタン、８０  ホームページ、
８１  代表画像表示部、８２  コメント表示部、
８３  「実行」ボタン、８４  「実行」ボタン、８５  コンテンツ情報画面、
８６クリップ代表画像表示部、８７  コメント表示部、８８  「実行」ボタン、
Ｃ  合成領域、Ｅ  編集領域、Ｓ  スタジオ領域、Ｖ  視聴領域
【図１】
2007201751.tif 000003
【図２】
2007201751.tif 000004
【図３】
2007201751.tif 000005
【図４】
2007201751.tif 000006
【図５】
2007201751.tif 000007
【図６】
2007201751.tif 000008